(57)【特許請求の範囲】
【請求項１】
デジタル複合機としての動作を統合的に制御する制御ユニットに対して、制御ユニットに備えられた通信インターフェイスを介して個々に電源のオン／オフが可能となされた少なくとも一つの機能ユニットが接続可能となされたデジタル複合機であって、
前記制御ユニットは、所定の周期で前記通信インターフェイスを介して各機能ユニットとの接続状態に変更があるか否かを検出し、
それまで接続されていなかった機能ユニットが新たに接続された場合、どの機能ユニットが新たに制御ユニットに接続されたかを表示し、当該表示画面において所定の操作がなされた場合には、この時点で制御ユニットに接続されている機能ユニットを使用して実行できる機能と、実行できない機能を決定して、実行できると決定した機能の中の一つの機能については選択中であることを示す第１の態様で表示すると共に、その他の実行できると決定した機能については選択可能であることを示す第２の態様で表示し、且つ実行できないと決定した機能については選択不可能であることを示す第３の態様で表示し、
接続されていた機能ユニットの接続が解除された場合、当該接続解除を検出した機能ユニットについて、その接続が確認できなくなったことを表示し、当該表示画面において所定の操作がなされた場合には、この時点で制御ユニットに接続されている機能ユニットを使用して実行できる機能と、実行できない機能を決定して、実行できると決定した機能の中の一つの機能については前記第１の態様で表示すると共に、その他の実行できると決定した機能については前記第２の態様で表示し、且つ実行できないと決定した機能については前記第３の態様で表示する
ことを特徴とするデジタル複合機。
【請求項２】
それまで接続されていなかった機能ユニットが新たに接続された場合、及び接続されていた機能ユニットの接続が解除された場合において、更に、前記選択中を示す第１の態様で表示された機能については、当該機能で行うことができる動作の説明を表示すると共に、当該選択中を示す態様で表示されている機能を実行するために必要なパラメータを表示することを特徴とする請求項１記載のデジタル複合機。
【発明の詳細な説明】
【技術分野】
【０００１】
本発明は、コピー装置、ファクシミリ装置、及び又は、原稿の画像を読み取って保存する画像入力／保存装置として用いることができるデジタル複合機に係り、特に、デジタル複合機として必要な個々の機能を実現する装置をユニット化し、所望のユニットのみを繋げることができる構成となされたデジタル複合機に関する。
【背景技術】
【０００２】
この種のデジタル複合機を構築するためのユニットとしては、原稿画像の読み取り機能を有するスキャナユニット、電子写真法等によって画像形成を行う機能を有するプリンタユニット、ファクシミリ（以下、ファクシミリをＦＡＸと記す）の送受信の処理の機能を有するＦＡＸユニット、画像データの保存の機能を果たす記憶ユニット、そして制御ユニットがある。なお、本明細書では、制御ユニット以外の、スキャナユニット、プリンタユニット、ＦＡＸユニット、及び記憶ユニットは何れも画像形成処理に関する個別の機能を果たすものであるので、これらのユニットを総称して機能ユニットと称するものとする。
【０００３】
制御ユニットは、機能ユニットの一部あるいは全部が接続された場合、それら接続された各機能ユニットの動作を統括して制御するものである。従って、デジタル複合機において制御ユニットは必須のものである。
【０００４】
このようなデジタル複合機では、制御ユニットに対して、必ずしも全ての機能ユニットを用いる必要はなく、ユーザは用途に応じて機能ユニットを選択することができる。例えば、コピー装置として使用するだけであるなら制御ユニットに対してスキャナユニットとプリンタユニットを用いればよく、また、ＦＡＸ装置として使用するだけであるなら制御ユニットに対して、スキャナユニットとプリンタユニットとＦＡＸユニットとを用いればよい。特に、ＦＡＸの受信のみを行えばよいのであれば、スキャナユニットを用いる必要はなく、制御ユニットには、ＦＡＸユニットとプリンタユニットとのみを用いればよい。
【０００５】
なお、本明細書では、「制御ユニットと機能ユニットとが接続されている」とは、制御ユニットと機能ユニットとが通信ケーブル等によって通信インターフェイス（以下、インターフェイスをＩ／Ｆと記す）を介して物理的に繋がっているだけではなく、加えて制御ユニットと機能ユニットの両方のユニットの電源が投入されて、両者が電気的にも繋がっていることを意味するものとする。従って、ケーブル等によって通信Ｉ／Ｆを介して制御ユニットと物理的には繋がっていても電源が投入されていない機能ユニットは、制御ユニットと接続されているとはいわない。このような場合は、単に「繋がっている」等と称し、「接続」とは区別することにする。
【特許文献１】特開２００４−３１２１０２号公報
【特許文献２】特許第３６７５４４１号明細書
【発明の開示】
【発明が解決しようとする課題】
【０００６】
ところで、この種のデジタル複合機においては、各機能ユニットはそれぞれ電源スイッチを有しており、従って、制御ユニットと接続されている機能ユニットの電源がオフされたり、その逆に、制御ユニットの電源が投入されている状態で通信Ｉ／Ｆを介して制御ユニットとは繋がっているが、その時点では未だ電源が投入されていない機能ユニットの電源が投入されることがある。
【０００７】
例えば、制御ユニットに対して、スキャナユニット、プリンタユニット、ＦＡＸユニット、及び記憶ユニットの４つの機能ユニットが繋げられたデジタル複合機があり、日中にはこれら機能ユニットの全ての電源を投入して制御ユニットと接続して、コピー装置、ＦＡＸ装置、あるいは画像入力／保存装置として用いるが、夜間にはＦＡＸの受信のみが行えればよい、という場合があり、このような場合、ＦＡＸの受信のみを行う場合には、スキャナユニット及び記憶ユニットの電源をオフすることになる。そして、翌日、再びスキャナユニットと記憶ユニットの電源を投入するようにする。このようにすることは節電の観点からも望ましいものである。
【０００８】
しかし、従来のこの種のデジタル複合機に用いる制御ユニットでは、どの機能ユニットが接続されているかを認識するのは、自己の電源が投入された起動時だけであるので、制御ユニットの電源が投入されている場合に、或る機能ユニットの電源が投入状態（オン状態）からオフされても制御ユニットは当該機能ユニットの接続が解除されたことを認識せず、また、電源がオフ状態にある機能ユニットが電源投入されたとしても、制御ユニットは当該機能ユニットが接続されたことを認識することはないものであった（この点に関しては、例えば、特許文献１の［００７０］段〜［００７５］段の記載参照）。
【０００９】
従って、従来のデジタル複合機では、機能ユニットの組み合わせを変更して使用したい場合には、先ず制御ユニットの電源をオフしてから使用したい機能ユニットの電源を投入し、そして最後に制御ユニットの電源を再度投入するという再起動の操作が必要となり、ユーザに対して面倒な操作を要求していただけでなく、制御ユニットが電源投入から立ち上げ処理が完了するまでの間は通常３０秒〜１分程度掛かるので、その間はデジタル複合機を使用することができないものであった。
【００１０】
そこで本発明は、制御ユニットと接続している機能ユニットの電源をオフしたり、制御ユニットと繋がっているだけの機能ユニットの電源をオンしたりして、機能ユニットの組み合わせを変更して用いる場合に、従来のように制御ユニットの再起動という面倒なことを行うことなく、そのまま機能ユニットの接続、接続の解除という接続状態の変更を認識して、継続して動作するデジタル複合機を提供することを目的とする。
【課題を解決するための手段】
【００１１】
上記の目的を達成するために本発明に係るデジタル複合機は、デジタル複合機としての動作を統合的に制御する制御ユニットに対して、制御ユニットに備えられた通信インターフェイスを介して個々に電源のオン／オフが可能となされた少なくとも一つの機能ユニットが接続可能となされたデジタル複合機であって、前記制御ユニットは、所定の周期で前記通信インターフェイスを介して各機能ユニットとの接続状態に変更があるか否かを検出し、それまで接続されていなかった機能ユニットが新たに接続された場合、どの機能ユニットが新たに制御ユニットに接続されたかを表示し、当該表示画面において所定の操作がなされた場合には、この時点で制御ユニットに接続されている機能ユニットを使用して実行できる機能と、実行できない機能を決定して、実行できると決定した機能の中の一つの機能については選択中であることを示す第１の態様で表示すると共に、その他の実行できると決定した機能については選択可能であることを示す第２の態様で表示し、且つ実行できないと決定した機能については選択不可能であることを示す第３の態様で表示し、接続されていた機能ユニットの接続が解除された場合、当該接続解除を検出した機能ユニットについて、その接続が確認できなくなったことを表示し、当該表示画面において所定の操作がなされた場合には、この時点で制御ユニットに接続されている機能ユニットを使用して実行できる機能と、実行できない機能を決定して、実行できると決定した機能の中の一つの機能については前記第１の態様で表示すると共に、その他の実行できると決定した機能については前記第２の態様で表示し、且つ実行できないと決定した機能については前記第３の態様で表示することを特徴とする。
また、本発明に係るデジタル複合機は、それまで接続されていなかった機能ユニットが新たに接続された場合、及び接続されていた機能ユニットの接続が解除された場合において、更に、前記選択中を示す第１の態様で表示された機能については、当該機能で行うことができる動作の説明を表示すると共に、当該選択中を示す態様で表示されている機能を実行するために必要なパラメータを表示することを特徴とする。
【発明の効果】
【００１２】
本発明によれば、所望の時に所望の機能ユニットを新たに制御ユニットに接続したり、その逆に、接続している機能ユニットを接続解除したりすることが可能であるので、消費電力の節電に資することができる。なお、ここでいう「接続」とは、上記の意味であることは当然である。
【００１３】
また、それまで接続されていなかった機能ユニットが新たに接続された場合、どの機能ユニットが新たに制御ユニットに接続されたかを表示し、当該表示画面において所定の操作がなされた場合には、この時点で制御ユニットに接続されている機能ユニットを使用して実行できる機能と、実行できない機能を決定して、実行できると決定した機能の中の一つの機能については選択中であることを示す第１の態様で表示すると共に、その他の実行できると決定した機能については選択可能であることを示す第２の態様で表示し、且つ実行できないと決定した機能については選択不可能であることを示す第３の態様で表示し、接続されていた機能ユニットの接続が解除された場合、当該接続解除を検出した機能ユニットについて、その接続が確認できなくなったことを表示し、当該表示画面において所定の操作がなされた場合には、この時点で制御ユニットに接続されている機能ユニットを使用して実行できる機能と、実行できない機能を決定して、実行できると決定した機能の中の一つの機能については前記第１の態様で表示すると共に、その他の実行できると決定した機能については前記第２の態様で表示し、且つ実行できないと決定した機能については前記第３の態様で表示するので、ユーザは現在どのような機能が使用できるかを明確に認識することができる。そしてその際には、従来のように制御ユニットの再起動という面倒な操作は必要がなく、継続してデジタル複合機を使用することができるものである。
【発明を実施するための最良の形態】
【００１４】
以下、図面を参照しつつ発明の実施の形態について説明する。ここでは、図１に示すように、このデジタル複合機１０では、制御ユニット１１に対して、スキャナユニット１２、プリンタユニット１３、ＦＡＸユニット１４、及び記憶ユニット１５の４つの機能ユニットが繋がった構成とする。そして、これら４つの機能ユニットは、何れも個別に電源のオン（投入）／オフが可能である。
【００１５】
スキャナユニット１２は、原稿の画像を読み取るための周知の構成を備えており、パソコンシステムの周辺機器として使用可能なものであって、制御ユニット１１と通信ケーブルで繋ぐことができる拡張ボード等の手段を備えているものである。本発明ではスキャナユニット１２の具体的な構成、動作については本質的な事項ではないので、それらの詳細については説明を省略する。
【００１６】
プリンタユニット１３は、パソコンシステムの周辺機器として使用可能なものであって、制御ユニット１１と通信ケーブルで繋ぐことができる拡張ボード等の手段を備えているものである。このプリンタユニット１３は、電子写真法によって画像形成を行うものでもよく、その他の方法で画像形成を行うものでもよい。本発明ではプリンタユニット１３の具体的な構成、動作については本質的な事項ではないので、それらの詳細については説明を省略する。
【００１７】
ＦＡＸユニット１４は、ＦＡＸの送受信に関する処理を行うものであり、通常単体として用いられるＦＡＸ装置から、原稿画像の読み取りを行う手段、画像形成を行う手段を除いた構成であって、電話回線網と接続されるモデム、画像データの圧縮／伸張を行う回路等を含んでいる。また、このＦＡＸユニット１４も、制御ユニット１１と通信ケーブルで繋ぐことができる拡張ボード等の手段を備えている。本発明ではＦＡＸユニット１４の具体的な構成、動作については本質的な事項ではないので、それらの詳細については説明を省略する。
【００１８】
記憶ユニット１５は、画像データを保存するものであり、制御ユニット１１の通信Ｉ／Ｆと繋ぐことができる手段を備えているものである。例えば、制御ユニット１１の通信Ｉ／Ｆ３４がＵＳＢ（Universal Serial Bus）に準拠したものであれば、記憶ユニット１５としては、いわゆるＵＳＢメモリを用いることができる。本発明では記憶ユニット１５の具体的な構成、動作については本質的な事項ではないので、それらの詳細については説明を省略する。
【００１９】
制御ユニット１１は、スキャナユニット１２、プリンタユニット１３、ＦＡＸユニット１４、及び記憶ユニット１５の動作を統括して制御することができるようになされたものであり、図１に示すように、ＣＰＵ２１，ＲＯＭ２２、ＲＡＭ２３、画像処理回路２４、液晶ディスプレイ（以下、ＬＣＤと記す）制御回路２５、入力Ｉ／Ｆ２６、タッチスクリーン２８、スイッチ部３１、通信Ｉ／Ｆ３２、３３、３４、３５を備えている。
【００２０】
ＣＰＵ２１は、デジタル複合機１０の各部、即ち制御ユニット１１内の各部、スキャナユニット１２、プリンタユニット１３、ＦＡＸユニット１４、及び記憶ユニット１５を統合的に制御する制御回路である。ＲＯＭ２２は、ＣＰＵ２１の動作手順を規定するプログラムや、プログラムの実行に際して利用するデータが記録されている読み出し専用のメモリである。ＲＡＭ２３は、ＣＰＵ２１の作業領域として用いられるものであり、処理中の画像データ等の種々のデータが記憶される。画像処理回路２４は、スキャナユニット１２によって生成された多値の画像データから、ＦＡＸユニット１４に供給する未圧縮の２値の送信用ＦＡＸデータを生成する際に使用される回路である。
【００２１】
通信Ｉ／Ｆ３２、３３、３４、３５は、機能ユニットと繋いで、繋がれた機能ユニットとの間で情報の授受を行うためのものである。これらの通信Ｉ／Ｆ３２〜３５は、機能ユニットとの間で情報の授受を行うことができればどのような方式に準拠するものであってもよく、また、これら通信Ｉ／Ｆ３２〜３５の全てが同じ方式のＩ／Ｆであってもよく、異なる方式のＩ／Ｆであってもよい。そして、ここでは図１に示すように、通信Ｉ／Ｆ３２、３３、３４、３５には、それぞれ、スキャナユニット１２、プリンタユニット１３、記憶ユニット１５、ＦＡＸユニット１４が繋がれているものとする。
【００２２】
スイッチ部３１は、制御ユニット１１の筐体上に設けられたスタートボタン、ストップボタン、テンキー等の機械的なスイッチからなるいわゆるハードボタンと、それらの制御回路（図示せず）とからなるものである。
【００２３】
タッチスクリーン２８は、ＬＣＤ２９上に透明な接触位置センサ３０を重ねた素子である。ＬＣＤ制御回路２５は、ＣＰＵ２１の制御によってＬＣＤ２９の画面表示を行うものである。入力Ｉ／Ｆ２６は、ユーザがスイッチ部３１あるいはタッチスクリーン２８に対して行った操作内容をＣＰＵ２１に通知する回路である。この構成により、ＬＣＤ２９には種々のメッセージが表示され、更に、ＬＣＤ２９と接触位置センサ３０との組み合わせによって、各種の設定を行うためのタッチボタンも形成される。
【００２４】
ここで、ＬＣＤ２９の画面表示の構成例を一つ示しておく。図２は後述する基本画面、即ち、コピーやＦＡＸの送信、あるいは原稿画像の入力と保存を実行する場合の機能選択や、選択した機能に関する各種のパラメータの設定を行うための画面の構成を示す図であり、この基本画面では、ＬＣＤ２９の表示画面は、大きく、機能表示領域４１、動作状態表示領域４２、パラメータ表示領域４３の３つに分かれている。
【００２５】
機能表示領域４１には、当該デジタル複合機１０で使用することができる機能のタッチボタンが配置されている。図１に示す構成では、コピー機能、ＦＡＸ機能、画像入力／保存機能（図面では単に「入力保存」と記す）の３つの機能が使用可能であるので、機能表示領域４１には、「コピー」、「ＦＡＸ」、「入力保存」の３つのタッチボタンが配置される。
【００２６】
そして、これらの機能のタッチボタンは、現在選択中の場合と、選択可能である場合と、選択不可能である場合で異なる態様で表示される。その表示の例を図３（ａ）に示す。図３（ａ）の「コピー」ボタンは現在選択中とされている機能の表示態様を示しており、図では黒バックに白抜き文字としている。図３（ａ）の「ＦＡＸ」ボタンは選択可能な機能の表示態様を示しており、図では白バックに黒文字としている。図３（ａ）の「入力保存」ボタンは選択不可能な機能の表示態様を示しており、図では白バックに白抜き文字としている。
【００２７】
ＬＣＤ２９の表示画面の動作状態表示領域４２には、機能表示領域４１に表示されている機能のタッチボタンの中の、現在選択されているタッチボタンの機能で行うことができる動作の説明が表示される。例えば、機能表示領域４１の「コピー」ボタンが押されて、コピー機能が選択されている場合には「コピーできます」と表示され、「ＦＡＸ」ボタンが押されて、ＦＡＸの送信が可能な場合には「ＦＡＸ宛先を設定してください」と表示され、「入力保存」ボタンが押されて、画像の入力／保存の機能が選択されている場合には「画像の入力／保存ができます」と表示される。
【００２８】
ＬＣＤ２９の表示画面のパラメータ表示領域４３には、機能表示領域４１に表示されている機能のタッチボタンの中の、現在選択されているタッチボタンの機能を実行するために必要な種々のパラメータが表示される。例えば、機能表示領域４１の「コピー」ボタンが押されて、コピー機能が選択されている場合には、トレイの選択、コピー倍率、コピー濃度、カラーかモノクロかの選択等のコピーを行う場合に設定すべきパラメータが表示される。ＦＡＸ機能が選択された場合、あるいは画像入力／保存機能が選択された場合も同様である。
【００２９】
以下、このデジタル複合機１０の動作を、制御ユニット１１のＣＰＵ２１の動作を中心として、図４、図５のフローチャートを参照して説明する。なお、ここではデジタル複合機１０は図１に示す構成であるとする。
【００３０】
ここで、ユーザは制御ユニット１１の電源をオン（ステップＳ１）したとすると、ＣＰＵ２１は当該システムを立ち上げるための初期化処理を開始する。その初期化処理の過程において、ＣＰＵ２１は、どの機能ユニットが接続されているかを確認する処理を実行するが、その処理の実行中にはＬＣＤ制御回路２５を制御してＬＣＤ２９に起動中画面を表示する（ステップＳ２）。起動中画面の例を図６（ａ）に示す。この起動中画面では、制御ユニット１１にどの機能ユニットが接続されているかをチェックしていることを表示している。
【００３１】
なお、どの機能ユニットが接続されているかの確認は、通信Ｉ／Ｆ３２〜３５を介して機能ユニットとの間で情報の授受を行うことで可能であるが、例えば、制御ユニット１１から所定の周期で機能ユニットに対して、電源がオンされて起動しているか否かを問いかけ、それに対する応答の存否によって接続されているか否かを確認するようにすることもできるし、あるいは、機能ユニットが、電源がオンされて立ち上がった時に所定の割込信号を出力する機能を有するものであれば、その割込信号の有無を確認すればよい。このような或る機器の電源がオンされているか否かを確認する処理は種々知られているので、通信Ｉ／Ｆ３２〜３５が準拠する方式に従って採用する処理方法を決定すればよい。
【００３２】
ここで、接続されていると確認される機能ユニットは、通信Ｉ／Ｆ３２〜３５の何れかに繋げられた機能ユニットであって、且つ制御ユニット１１の電源がオンされた時に既に電源がオンされている機能ユニットである。このことは、上述した「接続」の定義から明らかである。
【００３３】
そして、接続されている機能ユニットを確認（ステップＳ３）すると、ＣＰＵ２１は、ステップＳ２でＬＣＤ２９に表示した起動中画面の消去と、ＬＣＤ２９への基本画面の表示を行う（ステップＳ４）。基本画面は、上記した通り、使用する機能の選択ができ、選択された機能で行うことができる動作の説明が表示され、更に、選択した機能に関する各種のパラメータの設定を行うための画面であるが、このステップＳ４でＬＣＤ２９に表示される基本画面の機能表示領域４１に表示される機能のボタンの表示態様は、ステップＳ３において接続されていると確認された機能ユニットの組み合わせによって異なる。
【００３４】
ステップＳ３において接続されていると確認された機能ユニットの組み合わせと、機能表示領域４１に表示される機能のボタンの表示態様の対応を図７に示す。図７において、左側の接続機能ユニットの欄の各機能ユニットの項目中の「○」は接続されていると確認された機能ユニットであることを示し、「×」は接続が確認されなかった機能ユニットであることを示している。また、右側の機能可否の欄の各機能の項目中の「○」は、機能表示領域４１中に、当該機能のボタンが選択可能の態様で表示され、「×」は当該機能のボタンが選択不可能の態様で表示されることを示している。なお、「△１」、「△２」、「△３」については後述する。
【００３５】
例えば、図７の（イ）で示す場合は、４つの機能ユニット１２〜１５の全てが接続されていると確認される。従って、この場合には、コピー機能、ＦＡＸの送受信機能、及び画像入力／保存機能の３つの機能の全てが使用可能であるので、機能表示領域４１に表示される「コピー」、「ＦＡＸ」、及び「入力保存」の３つの機能のボタンは何れも選択可能の態様で表示されることになる。そして、基本画面では、選択可能な機能のボタンの中の一つが現在選択中の態様で表示されることになるが、ここでは、選択可能な機能のボタンの最も上のボタンが現在選択中の態様で表示されるものとすると、図７の（イ）で示す場合には、機能表示領域４１の表示は図３（ｂ）に示すようになり、動作状態表示領域４２には「コピーできます」と表示される。
【００３６】
また、図７の（ロ）で示す場合は、プリンタユニット１３が接続されていないので、コピー機能は使用することができず、ＦＡＸ機能については受信は行うことができないが送信は可能である。また、画像入力／保存の機能は使用することができる。従って、この場合には、機能表示領域４１には、図３（ｃ）に示すように、「コピー」ボタンは選択不可能の態様で表示されるが、「ＦＡＸ」ボタンと「入力保存」ボタンは何れも選択可能の態様で表示される。そして、「ＦＡＸ」ボタンが現在選択中の態様で表示され、動作状態表示領域４２には「ＦＡＸ宛先を設定してください」と表示される。
【００３７】
同様にして、図７の（ハ）で示す場合は、スキャナユニット１２が接続されていないので、ＦＡＸの受信及び印刷のみが可能であり、機能表示領域４１の表示は図３（ｄ）に示すようになり、動作状態表示領域４２には「ＦＡＸ受信できます」と表示される。また、図７の（ニ）で示す場合は、スキャナユニット１２とプリンタユニット１３が接続されていないので、ＦＡＸの受信のみが可能であり、機能表示領域４１の表示は図３（ｄ）に示すと同じであり、動作状態表示領域４２には「ＦＡＸ受信できます」と表示されるが、この場合には受信した画像のプリントは行うことができないので、パラメータ表示領域４３の表示は異なるものとなる。
【００３８】
以上のようにして、基本画面の機能表示領域４１に表示される機能のボタンの表示態様が定められるが、つまり、図７に示す、接続が確認された機能ユニットの組み合わせと、機能表示領域４１に表示される機能のボタンの表示態様の対応関係を示すテーブルがＲＯＭ２２に予め記憶され、それがＲＡＭ２３に展開されていて、ＣＰＵ２１はＲＡＭ２３上の当該テーブルを参照して基本画面の機能表示領域の機能のボタンの表示態様を決定するのである。
【００３９】
ステップＳ４で基本画面が表示されている状態では、機能表示領域４１中に選択可能な態様で表示されている機能のボタンを押すことによって、コピーを行ったり、ＦＡＸ送信を行ったり、画像入力／保存を行ったりすることができ、また、ＦＡＸの受信があればプリントが行われたりすることになるが、これらの場合の各機能ユニットの具体的な動作については本発明の本質的な事項ではないので、説明は省略する。
【００４０】
さて、ステップＳ４の処理が終了すると、ＣＰＵ２１は、所定の周期で、通信Ｉ／Ｆ３２〜３５を介して、各機能ユニット１２〜１５の制御ユニット１１との接続状態に変更があるか否かを検出する。それが図４のステップＳ５、Ｓ６の処理であり、ステップＳ５では、この時点まで接続されていた機能ユニットの接続が未確認になったか否かを検出しており、ステップＳ６では、この時点までは接続されていなかった機能ユニットが新たに接続状態となったか否かを検出している。これらの検出は、上述したと同様に行えばよい。
【００４１】
ＣＰＵ２１は、ステップＳ６の処理で、これまで接続されていなかった機能ユニットが新たに制御ユニット１１に接続されたことを検出すると、ステップＳ７〜Ｓ９の処理を行って、ステップＳ５、Ｓ６の処理を所定の周期で繰り返す。
【００４２】
ステップＳ７では、ＣＰＵ２１はＬＣＤ制御回路２５を制御してＬＣＤ２９に、機能ユニット接続検出画面を表示する。この機能ユニット接続検出画面は、どの機能ユニットが新たに制御ユニット１１に接続されたか、即ちどの機能ユニットの電源が新たにオンされたかをユーザに報知する画面である。この機能ユニット接続検出画面は、ステップＳ４で表示された基本画面の一部にウィンドウ表示されるものである。
【００４３】
図６（ｂ）に機能ユニット接続検出画面の一例を示す。図６（ｂ）は、最初はプリンタユニット１３は電源がオフで制御ユニット１１には接続されていなかったが、その後、当該デジタル複合機１０の使用している途中でユーザによって電源がオンされて制御ユニット１１と接続された場合に、ステップＳ７の処理においてＬＣＤ２９に表示される機能ユニット接続検出画面の例を示しており、図に示すように、プリンタユニット１３の接続が検出されたことをユーザに報知するメッセージが表示されている。
【００４４】
また、この機能ユニット接続検出画面の所定の位置、図６（ｂ）では右下部には「閉じる」と表示されたタッチボタン５１が配置されている。この「閉じる」ボタン５１は、この機能ユニット接続検出画面を消去して次の画面を表示するためのものであり、ユーザは当該メッセージの内容を確認すると「閉じる」ボタン５１を押すことになる。そして、この「閉じる」ボタンが押されると（ステップＳ８でyes の場合）、ＣＰＵ２１は機能ユニット接続検出画面を消去して、基本画面を更新して表示（ステップＳ９）し、ステップＳ５に戻る。
【００４５】
即ち、このステップＳ９においては、ＣＰＵ２１は、図７に示す対応関係に従って、この時点で接続を確認している機能ユニットの組み合わせから、機能表示領域４１に表示する機能のボタンの表示態様を決定し、新たな基本画面をＬＣＤ２９に表示するのである。例えば、最初は図７の（ロ）で示す場合のように、スキャナユニット１２と、ＦＡＸユニット１４と、記憶ユニット１５は制御ユニット１１に接続されているが、プリンタユニット１３は接続されていないとすると、ステップＳ４の処理で表示される基本画面の機能表示領域４１の表示は図３（ｃ）のようであるが、その後にプリンタユニット１３の電源がオンされて、ＣＰＵ２１がプリンタユニット１３の接続を検出すると、ステップＳ９で更新表示される基本画面の機能表示領域４１の表示は、図３（ｂ）に示すようになる。
【００４６】
以上の動作によれば、どの時点であれ、機能ユニットの電源がオンとなされて、制御ユニット１１のＣＰＵ２１によって制御ユニット１１への接続が検出されると、基本画面の内容は更新して表示される。即ち、基本画面の機能表示領域４１に表示される各機能のボタンは、その時点で接続されている機能ユニットの組み合わせに応じた態様で表示され、動作状態表示領域４２及びパラメータ表示領域４３もそれに応じた表示となされる。そして、その後はそのまま継続して当該デジタル複合機１０を使用することができるので、従来のように制御ユニット１１の電源を一旦オフして再投入するという手間を省くことができ、また、制御ユニット１１を再度オンしてから立ち上がって使用可能になるまでの待機時間も無くなるという効果があるものである。
【００４７】
以上、ステップＳ６の判断でyes の場合の動作について説明したが、次に、ステップＳ５の判断でyes となった場合の動作について説明する。
【００４８】
ＣＰＵ２１は、ステップＳ５において、これまで接続を確認していた機能ユニットの接続が未確認、即ち接続が確認できなくなったことを検出（ステップＳ５でyes の場合）すると、図５に示すステップＳ１０〜Ｓ１８の処理を実行する。
【００４９】
この場合には、ＣＰＵ２１は、先ず、現在、当該接続が未確認になったことを検出した機能ユニットを使用したジョブを行っているか否かを判断（ステップＳ１０）し、当該機能ユニットを使用したジョブを行っていれば、そのジョブを中止（ステップＳ１１）してステップＳ１２の処理に移行し、そのようなジョブを行っていなければ、そのままステップＳ１２の処理に移行する。
【００５０】
ステップＳ１２の処理では、ＣＰＵ２１はＬＣＤ制御回路２５を制御して、ＬＣＤ２９に機能ユニット未接続検出画面を表示する。この機能ユニット未接続検出画面は、基本画面の一部にウィンドウ表示されるものである。
【００５１】
この機能ユニット未接続検出画面は、ある機能ユニットの接続が確認できなくなったことをユーザに報知すると共に、今後、当該機能ユニットを接続解除の状態のままで続行するか否かの意思確認をユーザに要求する画面である。その機能ユニット未接続検出画面の例を図６（ｃ）に示す。図６（ｃ）は、これまで接続されていたスキャナユニット１２の電源がある時にオフされたり、制御ユニット１１の通信Ｉ／Ｆ３２と繋いでいた通信ケーブルが外れてしまったりして、そのことがステップＳ５の処理においてＣＰＵ２１によって検出された場合に、ステップＳ１２でウィンドウ表示される機能ユニット未接続検出画面の例を示しており、図中の１）〜４）のメッセージによって、ユーザに対して、今後の対策について報知している。スキャナユニット１２以外の機能ユニットの接続が確認できなくなった場合の機能ユニット未接続検出画面に表示されるメッセージも同様な文句となる。
【００５２】
また、この機能ユニット未接続検出画面の所定の位置、図６（ｃ）では下部の左右端部には「そのまま続行」ボタン５２と、「接続再確認」ボタン５３が配置されている。これらのタッチボタンは、ユーザの意志を確認するためのものである。即ち、これまで制御ユニット１１に接続していた機能ユニットの接続が未確認となった原因としては、ユーザが意図して電源をオフした場合と、偶然あるいは誤りに起因する場合とがある。後者としては、ユーザが誤って電源をオフしたり、何等かの原因で制御ユニット１１と繋いでいる通信ケーブルが外れてしまったというような場合がある。
【００５３】
そこで、ある機能ユニットの接続が確認できなくなった場合には、それがユーザの意志によるものか否かを確認する必要があり、そのために設けられているのが「そのまま続行」ボタン５２と、「接続再確認」ボタン５３である。
【００５４】
「そのまま続行」ボタン５２は、ステップＳ５で接続が確認されなくなった機能ユニットはそのまま接続を解除した状態として、デジタル複合機１０の使用を続行するためのタッチボタンであり、従って、当該機能ユニットの接続解除がユーザの意図によってなされた場合には「そのまま続行」ボタン５２が押されることになる。
【００５５】
そして、機能ユニット未接続検出画面の「そのまま続行」ボタン５２が押された（ステップＳ１４でyes の場合）ことを検知すると、ＣＰＵ２１は、機能ユニット未接続検出画面を消去して、基本画面を更新して表示（ステップＳ１５）し、ステップＳ５に戻る。
【００５６】
この時の基本画面の更新表示のための処理は上述したと同様であり、基本画面の機能表示領域４１の機能のボタンの表示態様は、当該接続が確認できなくなった機能ユニットは除いて、この時点で接続が確認された機能ユニットの組み合わせに応じて決定される。しかし、この時には、場合によっては機能のボタンの表示態様はそれまでと変わらないこともあることは注意を要する。例えば、図７の（ハ）の状態からプリンタユニット１３の電源をオフすると、図７の（ニ）の状態になるが、上述した通り、この場合には機能表示領域４１に表示される機能のボタンの表示態様は変化しないのである。
【００５７】
これに対して、「接続再確認」ボタン５３は、ユーザの意志によらずに接続が解除された場合の回復措置のために設けられているタッチボタンであり、従って、当該機能ユニットの接続解除がユーザの意図したものでない場合には「接続再確認」ボタン５３が押されることになる。
【００５８】
そして、「接続再確認」ボタン５３が押された（ステップＳ１３でyes の場合）ことを検知すると、ＣＰＵ２１は、機能ユニット未接続検出画面を消去して、接続機能ユニット確認中画面を表示する（ステップＳ１６）。この接続機能ユニット確認中画面も基本画面の一部にウィンドウ表示される。この接続機能ユニット確認中画面の内容は図６（ａ）に示すものと同じである。
【００５９】
そして、ＣＰＵ２１は、ステップＳ５で接続が未確認となった機能ユニットが再び接続されたか否かの検出を行い（ステップＳ１７）、当該機能ユニットの接続が再び確認できると、接続機能ユニット確認中画面を消去（ステップＳ１８）して、図５のステップＳ５に戻る。これによって、ＬＣＤ２９には、ウィンドウ表示されていた接続機能ユニット確認中画面が消えて、元の基本画面が現れることになる。
【００６０】
しかし、ステップＳ１７の処理において、依然として当該機能ユニットの接続が確認できない場合（ステップＳ１７でyes の場合）には、ステップＳ１２に戻って、再び図６（ｃ）に示す機能ユニット未接続検出画面を表示する。
【００６１】
つまり、機能ユニットの接続が未確認になった原因がユーザの意図したものでない場合には、ユーザは図６（ｃ）の機能ユニット未接続検出画面が表示されている状態においては、当該機能ユニットの電源状態や通信ケーブルの状態を確認した後に「接続再確認」ボタン５３を押すのが通常であるが、そのようなことは何もせずに「接続再確認」ボタン５３が押される場合も考えられる。そこで、前者の場合にはステップＳ１８で元の基本画面を表示して、その後はそのまま継続して使用できるようにし、後者の場合には、再度機能ユニット未接続検出画面を表示して、再度ユーザに注意を喚起するようにしているのである。
【００６２】
以上の動作によれば、接続状態にあった機能ユニットの接続が確認できなくなった場合、当該機能ユニットはそのまま未接続の状態として継続して使用することもできるし、再び接続状態として継続して使用することもでき、基本画面の内容もそれらに応じたものに更新される。しかもその際には、従来のように制御ユニット１１の電源を一旦オフして再投入するという手間を省くことができ、また、制御ユニット１１を再度オンしてから立ち上がって使用可能になるまでの待機時間も無くなるという効果があるものである。
【００６３】
以上のようであるので、このデジタル複合機１０によれば、ユーザは必要に応じて、所望の機能ユニットを制御ユニット１１に接続させたり、あるいは現在接続状態にある機能ユニットを接続解除状態にして、機能ユニットの組み合わせを変更して使用することができるので、消費電力の節電に資することができ、しかもその際には従来のように、制御ユニット１１の再起動という面倒なことを行う必要はないものである。
【図面の簡単な説明】
【００６４】
【図１】本発明に係るデジタル複合機の実施の形態における構成例を示す図である。
【図２】ＬＣＤ２９に表示される基本画面の構成を説明するための図である。
【図３】基本画面の機能表示領域４１に表示される機能のボタンの表示態様を示す図である。
【図４】デジタル複合機１０の動作を説明するフローチャートである。
【図５】デジタル複合機１０の動作を説明するフローチャートである。
【図６】ＬＣＤ２９に表示される画面の例を示す図であり、図６（ａ）は図４のステップＳ２で表示される起動中画面の例を示す図、図６（ｂ）は図４のステップＳ７で表示される機能ユニット接続検出画面の一例を示す図、図６（ｃ）は図５のステップＳ１２で表示される機能ユニット未接続検出画面の例を示す図である。
【図７】接続が確認されている機能ユニットの組み合わせと、機能表示領域４１に表示される機能のボタンの表示態様の対応関係を示す図である。
【符号の説明】
【００６５】
１０…デジタル複合機
１１…制御ユニット
１２…スキャナユニット
１３…プリンタユニット
１４…ファクシミリ（ＦＡＸ）ユニット
１５…記憶ユニット
２１…ＣＰＵ
２２…ＲＯＭ
２３…ＲＡＭ
２４…画像処理回路
２５…ＬＣＤ制御回路
２６…入力インターフェイス（Ｉ／Ｆ）
２８…タッチスクリーン
２９…液晶ディスプレイ（ＬＣＤ）
３０…接触位置センサ
３１…スイッチ部
３２、３３、３４、３５…通信インターフェイス（Ｉ／Ｆ）
５１、５２、５３…タッチボタン
【図１】
0004605385.tif 000002
【図２】
0004605385.tif 000003
【図３】
0004605385.tif 000004
【図４】
0004605385.tif 000005
【図５】
0004605385.tif 000006
【図６】
0004605385.tif 000007
【図７】
0004605385.tif 000008